(57)【要約】【課題】「く」字状に折り曲げられているスリットを有するＦＦＳモードの液晶表示パネルにおいて、押圧が解除されてもディスクリネーションが消失せずに残留し続けてしまう不具合を低減した液晶表示パネルを提供すること。【解決手段】スリット状開口Ｓ１及びＳ２は「く」字状であり、それぞれ結合部Ｊ１を境にラビング処理の方向に対する電界の方向が正負反転していると共に、両端側においてもラビング処理の方向に対する電界の方向が正負反転しており、スリット状開口Ｓ１及びＳ２の同一側の辺に沿って前記ラビング処理の方向に対する電界の方向が正負反転している箇所が３箇所以上存在している辺の結合部には、ラビング処理の方向に対する電界の方向の角度を狭める楔状の凹部Ｔ１あるいは凸部Ｔ２が形成されている。【選択図】  図５
2010169994.tif 000002
【特許請求の範囲】
【請求項１】
液晶層を挟持して対向配置された一対の基板を有し、前記一対の基板の一方には複数の
スリット状開口を有する上電極と、前記上電極と絶縁層を介して前記基板側に形成された
下電極とを備えた液晶表示パネルにおいて、
前記スリット状開口は第１スリット状開口部分と第２スリット状開口部分が一端側で結
合された「く」字状であり、
前記第１スリット状開口部分と第２スリット状開口部は、
それぞれ前記結合部を境にラビング処理の方向に対する電界の方向が正負反転している
と共に、他端側においてもラビング処理の方向に対する電界の方向が正負反転しており、
前記スリット状開口の同一側の辺に沿って前記ラビング処理の方向に対する電界の方向
が正負反転している箇所が３箇所以上存在している辺の前記結合部には、前記ラビング処
理の方向に対する電界の方向の角度を狭める楔状の凹部あるいは凸部が形成されているこ
とを特徴とする液晶表示パネル。
【請求項２】
前記スリット状開口は、前記第１スリット状開口部分と第２スリット状開口部分の他端
側にラビング処理の方向に対する電界の方向が正負反転する辺を有し、内角側となる辺の
前記結合部に楔状の凹部が形成されていることを特徴とする請求項１に記載の液晶表示パ
ネル。
【請求項３】
前記スリット状開口は、前記第１スリット状開口部分と第２スリット状開口部分の他端
側にラビング処理の方向に対する電界の方向が正負反転する角を有し、外角側となる辺の
前記結合部に楔状の凸部が形成されていることを特徴とする請求項１に記載の液晶表示パ
ネル。
【請求項４】
前記スリット状開口は、前記第１スリット状開口部分又は前記第２スリット状開口部分
の他端側にラビング処理の方向に対する電界の方向が正負反転する辺を有し、前記第２ス
リット状開口部分又は前記第１スリット状開口部分の他端側にラビング処理の方向に対す
る電界の方向が正負反転する角を有し、内角側となる辺の前記結合部に楔状の凹部が形成
され、外角側となる辺の前記結合部に楔状の凸部が形成されている、ことを特徴とする請
求項１に記載の液晶表示パネル。
【発明の詳細な説明】
【技術分野】
【０００１】
本発明は、ＦＦＳ（Fringe Field Switching）モードの液晶表示パネルに関し、特に、
上電極のスリット状開口が「く」字状となっており、外部から押圧された際に生じるリバ
ースツイストドメインが消滅しやすく、しかも、透過率が高いＦＦＳモードの液晶表示パ
ネルに関する。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、配向膜に
対してラビング処理することにより所定方向に整列した液晶分子の向きを電界により変え
て、光の透過量ないし反射量を変化させて画像を表示させるものである。
【０００３】
液晶表示パネルの液晶層に電界を印加する方法として、縦電界方式のものと横電界方式
のものとがある。縦電界方式の液晶表示パネルは、液晶層を挟んで配置される一対の電極
により、概ね縦方向の電界を液晶分子に印加するものである。この縦電界方式の液晶表示
パネルとしては、ＴＮ（Twisted Nematic）モード、ＶＡ（Vertical Alignment）モード
、ＭＶＡ（Multi-domain Vertical Alignment）モード等のものが知られている。横電界
方式の液晶表示パネルは、液晶層を挟んで配設される一対の基板のうちの一方の内面側に
一対の電極を互いに絶縁して設け、概ね横方向の電界を液晶分子に対して印加するもので
ある。この横電界方式の液晶表示パネルとしては、一対の電極が平面視で重ならないＩＰ
Ｓ（In-Plane Switching）モードのものと、重なるＦＦＳモードのものとが知られている
。
【０００４】
このうち、ＦＦＳモードの液晶表示パネルは、絶縁膜を介して上電極と下電極とからな
る一対の電極をそれぞれ異なる層に配置し、上電極にスリット状開口を設け、このスリッ
ト状開口を通る概ね横方向の電界を液晶層に印加するものである。このＦＦＳモードの液
晶表示パネルは、広い視野角を得ることができると共に画像コントラストを改善できると
いう効果があるので、近年、多く用いられるようになってきている。
【０００５】
ＦＦＳモードの液晶表示パネルでは、スリット状開口をラビング方向に対して僅かに傾
斜するように延在させて、同一方向に液晶分子が回転することができるようにしている。
カラー表示用の液晶表示パネルにおいては、このスリット状開口のラビング方向に対する
傾斜角度を正負の２つの領域に分けるマルチドメイン化により、視野角による色の変化を
低減することができる。しかしながら、スリット状開口の端部は所望する方向の電界を形
成し難く、延在方向が互いに異なるスリット状開口を分離させると、スリット状開口の端
部が増加するために開口率が低くなる。
【０００６】
そこで、下記特許文献１に開示されている液晶表示パネルでは、スリット状開口をジグ
ザグ状にし、異なる方向に延在するスリット状開口を連結することによって、マルチドメ
イン化を達成すると共に開口率が大きくなるようにしている。なお、スリット状開口の端
部については、下記特許文献２に開示されているように、ラビング方向に対するエッジ部
分の接線方向が、０°と−９０°との間となる部分を小さくすることによって、ディスク
リネーションの発生領域を抑制することができることが知られている。また、下記特許文
献３に開示されている液晶表示素子では、スリット状開口を「く」字状に屈曲させ、この
屈曲部に更に配向処理方向に対する傾き角が大きくなる方向に屈曲する楔状の凸部及び凹
部を形成することによって、屈曲部においてリバースツイストが発生し難くしている。
【先行技術文献】
【特許文献】
【０００７】
【特許文献１】特開２００２−０１４３７４号公報
【特許文献２】特開２００８−０９６８４０号公報
【特許文献３】特開２００８−０８３３８６号公報
【発明の概要】
【発明が解決しようとする課題】
【０００８】
延在方向が異なる２つのスリット状開口を形成すると、それぞれのスリット状開口の側
において液晶分子の配向方向が異なる領域（ドメイン）が形成されるため、広視野角特性
が得られるという利点がある。しかしながら、延在方向が異なる２つのスリット状開口を
連結すると、この結合部において隣接する液晶分子の配向方向が異なる部分（ディスクリ
ネーション）が生じるが、このディスクリネーションが生じている領域は正常な表示がで
きない。また、単に延在方向が異なる２つのスリット状開口を「く」字状に連結したのみ
では、液晶表示パネルの表面を押圧した場合、ディスクリネーションが大きくなって表示
にムラが生じ、場合によっては押圧が解除されてもディスクリネーションが消失せずに残
留し続けてしまうことがある。
【０００９】
発明者等は、このようなディスクリネーションの生成原因について種々検討を重ねた結
果、液晶表示パネルの表面からの押圧が解除されてもディスクリネーションが消失しない
要因を見出した。この現象を図７及び図８を用いて説明する。
【００１０】
図７は従来の液晶表示パネルのスリット状開口の液晶分子の回転方向を示した模式図で
ある。図８は従来の液晶表示パネルのディスクリネーション生成状態を示す模式図である
。
【００１１】
図７に示した液晶表示パネルでは、ラビング方向は列方向であり、スリット状開口Ｓ４
は、列方向に延在する「く」字状であり、上スリット部分Ｕ４と下スリット部分Ｄ４から
なる。上スリット部分Ｕ４の上端と下スリット部分Ｄ４の下端は、ディスクリネーション
の発生を抑制するために、バナナ状に先細になるように突出されている。このような「く
」字状のスリット状開口における電界の印加時の液晶分子の回転方向は、上スリット部分
Ｕ４の内角側（右側）と外角側（左側）の長い縁線が左回りＬ（反時計方向）であり、下
スリット部分Ｄ４の内角側と外角側の長い縁線が右回りＲ（時計方向）である。
【００１２】
そして、上スリット部分Ｕ４の内角側の縁線の上方に、電界の印加時の液晶分子の回転
方向が右回りＲとなる端部Ｅ４Ｕが存在しており、下スリット部分Ｄ４の内角側の縁線の
下方に電界の印加時の液晶分子の回転方向が左回りＬとなる端部Ｅ４Ｄが存在している。
また、図７における右端の小さな「く」字状のスリット状開口Ｓ５は上スリット部分Ｕ５
の外角側の縁線の上側に電界の印加時の液晶分子の回転方向が右回りＲとなる端部Ｅ５Ｕ
が存在しており、下スリット部分Ｄ５の外角側の縁線の下方に電界の印加時の液晶分子の
回転方向が左回りＬとなる端部Ｅ５Ｄが存在している。
【００１３】
ＦＦＳモードの液晶表示パネルにおいては、平面的に液晶が右回りＲもしくは左回りＬ
に配向変化することによって透過率が上昇していくことになるが、右回りＲ部分と左回り
Ｌ部分との境界では、どちらにも回れない領域が生じるので、透過率の向上にはほとんど
寄与しない領域となる。それに対し、同じ回転方向の部分が隣接している領域では、ある
程度透過率の向上が生じる。
【００１４】
ここで、この液晶表示パネルを押圧する等、物理的圧力等を与えて液晶配向を乱した場
合を考える。液晶の安定状態は電気力線に沿った方向に長軸が並んだ状態であり、右回り
Ｒが最安定状態であっても左回りＬでも安定状態に近い状態を有している。そのために、
右回りＲ部分の隣接部に安定した左回りＬ部分が存在している場合には、この右回りＲが
安定状態の領域であっても左回りＬで安定してしまうことがある。
【００１５】
図８はその状態を示すものである。例えば、スリット状開口Ｓ４の下スリット部分Ｄ４
の右側の縁線は、右回りＲ部分であるが、外部から押圧される等によって左回りＬで安定
してしまうことがある。この場合、右側に隣接するスリット状開口Ｓ５の左側の縁線は、
安定した左回りＬ部分が存在しないために、右回りＲ状態で安定している。しかしながら
、スリット状開口Ｓ４の上スリット部分Ｕ４の右側の縁線は左回りＬ部分であるから、ス
リット状開口Ｓ４の下スリット部分Ｄ４の右側の縁線が左回りＬ状態で安定してしまうと
、スリット状開口Ｓ４の右側の縁線では、下スリット部分Ｄ４と上スリット部分Ｕ４とで
同じ左回りＬ領域が隣接しているため、外部からの圧力を左回りＬ状態で安定してしまう
。
【００１６】
そうすると、スリット状開口Ｓ４の下スリット部分Ｄ４の右側の縁線部分とスリット状
開口Ｓ５の左側の縁線部分との間（図８の矢印部分）は、それぞれ互いに回転方向が異な
る領域が隣接している状態となるため、透過率が低下してしまうことになる。ＦＦＳモー
ドの液晶表示パネルでは、通常はスリット状開口の端部は遮光部材によって遮光されてい
るために視認されないが、上述のような隣接するスリット状開口間に生じた透過率の低下
は、容易に視認できるため、表示画質の低下として表れる。
【００１７】
なお、上記特許文献３に開示されている液晶表示素子のように、スリット状開口を「く
」字状に屈曲させ、この屈曲部に更に配向処理方向に対する傾き角が大きくなる方向に屈
曲する楔状の凸部及び凹部を形成すると、ディスクリネーションの生成を抑制することが
できるが、屈曲部が大きくなるために表示が暗くなるという問題点が存在している。
【００１８】
本発明は上述のような従来技術の問題点に鑑みてなされたものである。すなわち、本発
明の目的は、「く」字状に折り曲げられているスリット状開口を有するＦＦＳモードの液
晶表示パネルにおいて、両端にラビング処理の方向に対する電界の方向が正負反転する領
域が存在する周縁で、押圧が解除されてもディスクリネーションが消失せずに残留し続け
てしまう不具合を低減することができるＦＦＳモードの液晶表示パネルを提供することに
ある。
【課題を解決するための手段】
【００１９】
上記目的を達成するため、本発明の液晶表示パネルは、液晶層を挟持して対向配置され
た一対の基板を有し、前記一対の基板の一方には複数のスリット状開口を有する上電極と
、前記上電極と絶縁層を介して前記基板側に形成された下電極とを備えた液晶表示パネル
において、前記スリット状開口は第１スリット状開口部分と第２スリット状開口部分が一
端側で結合された「く」字状であり、前記第１スリット状開口部分と第２スリット状開口
部は、それぞれ前記結合部を境にラビング処理の方向に対する電界の方向が正負反転して
いると共に、他端側においてもラビング処理の方向に対する電界の方向が正負反転してお
り、前記スリット状開口の同一側の辺に沿って前記ラビング処理の方向に対する電界の方
向が正負反転している箇所が３箇所以上存在している辺の前記結合部には、前記ラビング
処理の方向に対する電界の方向の角度を狭める楔状の凹部あるいは凸部が形成されている
ことを特徴とする。
【００２０】
本発明の液晶表示パネルは、液晶層を挟持して対向配置された一対の基板を有し、前記
一対の基板の一方には複数のスリット状開口を有する上電極と、前記上電極と絶縁層を介
して前記基板側に形成された下電極とを備えておりＦＦＳモードの液晶表示パネルとなる
。そして、本発明の液晶表示パネルにおいては、スリット状開口は第１スリット状開口部
分と第２スリット状開口部分が一端側で結合された「く」字状とされているので、それぞ
れ前記結合部を境にラビング処理の方向に対する電界の方向が正負反転していると共に、
他端側においてもラビング処理の方向に対する電界の方向が正負反転していることになる
。
【００２１】
スリット状開口の同一側の辺に沿ってラビング処理の方向に対する電界の方向が正負反
転している箇所が３箇所以上存在している辺では、外部から押圧される等、物理的圧力等
が加わって液晶配向が乱れた場合、第１スリット状開口部分と第２スリット状開口部分の
同じ辺で液晶分子の回転方向が同じ方向となるので、その状態が安定してしまうことがあ
る。このような状態となると、互いに隣接するスリットの対向する辺の間では、液晶分子
の回転方向が互いに逆方向となるため、ディスクリネーションが生じて透過率が低下して
しまう虞がある。
【００２２】
それに対し、本発明の液晶表示パネルにおいては、スリット状開口の同一側の辺に沿っ
てラビング処理の方向に対する電界の方向が正負反転している箇所が３箇所以上存在して
いる辺の結合部には、ラビング処理の方向に対する電界の方向の角度を狭める楔状の凹部
あるいは凸部が形成されている。このような構成を採用すると、外部から押圧される等、
物理的圧力等が加わって液晶配向が乱れて液晶分子の回転方向が反転してしまっても、こ
の液晶分子の回転方向が反転してしまう領域を、楔状の凹部あるいは凸部に収束させるこ
とができ、しかもこの領域を物理的圧力等がなくなると直ぐに消滅させることができる。
【００２３】
そのため、本発明の液晶表示パネルによれば、たとえ外部から押圧される等、物理的圧
力等が加わって液晶配向が乱れて液晶分子の回転方向が反転してしまうことがあっても、
ディスクリネーション生成領域は楔状の凹部あるいは凸部の近傍となると共に短時間で直
ぐに元の状態に戻ることができるので、従来例のように透過率の低下を抑制することがで
きるようになる。
【００２４】
また、本発明の液晶表示パネルにおいては、前記スリット状開口は、前記第１スリット
状開口部分と第２スリット状開口部分の他端側にラビング処理の方向に対する電界の方向
が正負反転する辺を有し、内角側となる辺の前記結合部に楔状の凹部が形成されているこ
とが好ましい。
【００２５】
第１スリット状開口部分と第２スリット状開口部分の他端側にラビング処理の方向に対
する電界の方向が正負反転する辺を有している場合、内角側の辺がラビング処理の方向に
対する電界の方向が正負反転している箇所が３箇所以上存在している辺となる。そのため
、内角側となる辺の結合部に楔状の凹部を形成することによって上記効果を奏する液晶表
示パネルが得られる。なお、本発明における「辺」とは、直線状のものも曲線状も含む意
味で用いられている。
【００２６】
また、本発明の液晶表示パネルにおいては、前記スリット状開口は、前記第１スリット
状開口部分と第２スリット状開口部分の他端側にラビング処理の方向に対する電界の方向
が正負反転する角を有し、外角側となる辺の前記結合部に楔状の凸部が形成されているこ
とが好ましい。
【００２７】
第１スリット状開口部分と第２スリット状開口部分の他端側にラビング処理の方向に対
する電界の方向が正負反転する角を有している場合、外角側の辺がラビング処理の方向に
対する電界の方向が正負反転している箇所が３箇所以上存在している辺となる。そのため
、外角側となる辺の結合部に楔状の凸部を形成することによって上記効果を奏する液晶表
示パネルが得られる。
【００２８】
また、本発明の液晶表示パネルにおいては、前記スリット状開口は、前記第１スリット
状開口部分又は前記第２スリット状開口部分の他端側にラビング処理の方向に対する電界
の方向が正負反転する辺を有し、前記第２スリット状開口部分又は前記第１スリット状開
口部分の他端側にラビング処理の方向に対する電界の方向が正負反転する角を有し、内角
側となる辺の前記結合部に楔状の凹部が形成され、外角側となる辺の前記結合部に楔状の
凸部が形成されているものとすることができる。
【００２９】
第１スリット状開口部分又は第２スリット状開口部分の他端側にラビング処理の方向に
対する電界の方向が正負反転する辺を有し、第２スリット状開口部分又は第１スリット状
開口部分の他端側にラビング処理の方向に対する電界の方向が正負反転する角を有してい
る場合、内角側の辺及び外角側の辺共に、ラビング処理の方向に対する電界の方向が正負
反転している箇所が３箇所以上存在している辺となる。このような構成は、第１スリット
状開口部分と第２スリット状開口部分とが非対称となっているものである。そのため、内
角側となる辺の結合部に楔状の凹部を形成すると共に、外角側となる辺の結合部に楔状の
凸部を形成することによって上記効果を奏する液晶表示パネルが得られる。
【図面の簡単な説明】
【００３０】
【図１】本実施形態に係る液晶表示パネルのスリット状開口を示す正面図である。
【図２】図１のII−II線に沿った断面図である。
【図３】図１のIII−III線に沿った断面図である。
【図４】図１のスリット状開口の液晶分子の回転を示した模式図である。
【図５】図１のスリット状開口の液晶分子の回転方向を示した模式図である。
【図６】本実施形態に係る液晶表示パネルの変形例を示す模式図である。
【図７】従来の液晶表示パネルのスリット状開口の液晶分子の回転方向を示した模式図である。
【図８】従来の液晶表示パネルのディスクリネーション生成状態を示す模式図である。
【発明を実施するための形態】
【００３１】
以下、実施形態及び図面を参照にして本発明を実施するための最良の形態を説明するが
、以下に示す実施形態は、本発明をここに記載したものに限定することを意図するもので
はなく、本発明は特許請求の範囲に示した技術思想を逸脱することなく種々の変更を行っ
たものにも均しく適用し得るものである。なお、この明細書における説明のために用いら
れた各図面においては、各層や各部材を図面上で認識可能な程度の大きさとするため、各
層や各部材毎に縮尺を異ならせて表示しており、必ずしも実際の寸法に比例して表示され
ているものではない。
【００３２】
図１は本実施形態に係る液晶表示パネルのスリット状開口を示す正面図である。図２は
図１のII−II線に沿った断面図である。図３は図１のIII−III線に沿った断面図である。
図４は図１のスリット状開口の液晶分子の回転を示した模式図である。図５は図１のスリ
ット状開口の液晶分子の回転方向を示した模式図である。図６は本実施形態に係る液晶表
示パネルの変形例を示す模式図である。
【００３３】
第１実施形態の液晶表示パネル１０はＦＦＳモードで作動するものであり、その要部の
構成を図１〜図３を用いて説明する。この液晶表示パネル１０はマトリクス状に整列した
複数のサブ画素１１を有する。液晶表示パネル１０は、図２、図３に示すように、液晶層
ＬＣがアレイ基板ＡＲとカラーフィルター基板ＣＦで挟持されている。アレイ基板ＡＲは
透明な絶縁性を有するガラスや石英、プラスチック等からなる第１透明基板１２を基体と
している。第１透明基板１２上には、液晶層ＬＣに面する側に、不透明なアルミニウムや
モリブデン等の金属からなる走査線１３が図１のＸ軸方向（行方向）に形成されている。
走査線１３からはゲート電極Ｇが各サブ画素１１の左下に延設されている。
【００３４】
また、走査線１３とゲート電極Ｇを覆うようにして窒化ケイ素や酸化ケイ素等からなる
透明なゲート絶縁膜１４が積層されている。そして、平面視でゲート電極Ｇと重なるゲー
ト絶縁膜１４上には非晶質シリコンや多結晶シリコンなどからなる半導体層１５が形成さ
れている。また、ゲート絶縁膜１４上にはアルミニウムやモリブデン等の金属からなる複
数の信号線１６が、図１のＹ軸方向（列方向）に形成されている。これらの走査線１３及
び信号線１６によって区画された領域のそれぞれがサブ画素領域となる。この信号線１６
からはソース電極Ｓが延設され、このソース電極Ｓは半導体層１５の表面と部分的に接触
している。
【００３５】
更に、信号線１６及びソース電極Ｓと同一の材料で同時に形成されたドレイン電極Ｄが
ゲート絶縁膜１４上に設けられており、このドレイン電極Ｄはソース電極Ｓと近接配置さ
れて半導体層１５と部分的に接触している。R（赤）・G（緑）・B（青）の３つのサブ画
素で略正方形の１画素を構成するので、これを３等分するサブ画素１１は走査線１３が短
辺で信号線１６が長辺の長方形となる。ゲート電極Ｇ、ゲート絶縁膜１４、半導体層１５
、ソース電極Ｓ、ドレイン電極Ｄによってスイッチング素子となる薄膜トランジスタＴＦ
Ｔが構成され、それぞれのサブ画素１１にこのＴＦＴが形成されている。
【００３６】
更に、信号線１６、薄膜トランジスタＴＦＴ及びゲート絶縁膜１４の露出部分を覆うよ
うにして例えば窒化ケイ素や酸化ケイ素等からなる透明なパッシベーション膜１７が積層
されている。そして、パッシベーション膜１７を覆うようにして、例えばフォトレジスト
等の透明樹脂材料からなる第１層間膜１８が積層されている。そして、第１層間膜１８を
覆うようにしてＩＴＯ（Indium Thin Oxide）ないしＩＺＯ（Indium Zinc Oxide）等の透
明導電性材料からなる下電極１９が形成されている。下電極１９は画素電極（又は共通電
極）として作動する。第１層間膜１８とパッシベーション膜１７を貫通してドレイン電極
Dに達するコンタクトホール２０が形成されており、このコンタクトホール２０を介して
下電極１９とドレイン電極Dとが電気的に接続される。そのため、この液晶表示パネル１
０では、下電極１９は画素電極とし手作動する。
【００３７】
下電極１９を覆うようにして例えば窒化ケイ素や酸化ケイ素等からなる透明な電極間絶
縁膜２１が積層されている。そして、電極間絶縁膜２１を覆うようにしてＩＴＯないしＩ
ＺＯ等の透明導電性材料からなる上電極２２が形成されている。この上電極２２は、表示
領域の周辺部でコモン配線に接続されており（何れも図示省略）、共通電極として作動す
る。上電極２２には、図１に示すように、複数のスリット状開口（以下、単に「スリット
」という。）２３が形成されている。スリット２３はフォトリソグラフィー法によって上
電極２２を露光し、エッチングすることによって形成される。このスリット２３の具体的
形状等については後述する。また、上電極２２を覆ってポリイミドからなる第１配向膜２
４が積層されている。第１配向膜２４には信号線１６の延在方向と平行に液晶方向配向処
理（以降、ラビング処理と称する。）が施されている。
【００３８】
カラーフィルター基板ＣＦは透明な絶縁性を有するガラスや石英、プラスチック等から
なる第２透明基板２５を基体としている。第２透明基板２５には、遮光層２６と、サブ画
素毎に異なる色の光（例えばＲ（赤）、Ｇ（緑）、Ｂ（青））を透過するカラーフィルタ
ー層２７が形成されている。遮光層２６は、すなわち、走査線１３、信号線１６、薄膜ト
ランジスタＴＦＴ、ドレイン電極Ｄと平面視で重なるように形成されている。サブ画素１
１の遮光層２６が形成されていない領域にはカラーフィルター層２７が形成されている。
遮光層２６とカラーフィルター層２７を覆うようにして例えばフォトレジスト等の透明樹
脂材料からなるオーバーコート２８が積層されている。このオーバーコート２８は異なる
色のカラーフィルター層２７による段差を平坦にし、また、遮光層２６やカラーフィルタ
ー層２７から流出する不純物が液晶層ＬＣに入らないように遮断するために形成されてい
るものである。オーバーコート２８を覆うようにしてポリイミドからなる第２配向膜２９
が形成されている。第２配向膜２９には第１配向膜２４と逆方向の液晶方向配向処理が施
されている。
【００３９】
このようにして形成されたアレイ基板ＡＲ及びカラーフィルター基板ＣＦを互いに対向
させ、両基板の周囲にシール材（不図示）を設けることにより両基板を貼り合せ、両基板
間に液晶を充填することにより第１実施形態に係る液晶表示パネル１０が得られる。なお
、液晶層ＬＣを所定の厚みに保持するためのスペーサ（図示省略）がカラーフィルター基
板ＣＦに形成されている。
【００４０】
上述の構成により、ＴＦＴがＯＮ状態になって下電極１９と上電極２２間に電圧が印加
されると、両電極１９、２２間に電界が発生して液晶層ＬＣの液晶分子の配向方向が変化
する。これにより、液晶層ＬＣの光透過率が変化して画像を表示することとなる。なお、
下電極１９と上電極２２と電極間絶縁膜２１により付随的に補助容量が形成され、ＴＦＴ
がＯＦＦになったときに両電極１９，２２間の電界を所定時間保持することができる。
【００４１】
次に上電極２２に形成されたスリット２３の具体的形状について、図１、図４及び図５
用いて詳述する。このＦＦＳモードの液晶表示パネル１０では、電界は上電極２２とスリ
ット２３の下に位置する下電極１９との間の電位差によって生じる。電界はアレイ基板Ａ
Ｒの面に略平行に生じ、平面視での電界の向きはスリット２３の辺の法線方向となる。ス
リット２３の両端では、電界方向がスリット２３の長辺部分の電界方向とは異なるため、
リバースツイストドメインが発生する。このリバースツイストドメインは、正常な表示が
できないので、開口率低下の原因となる。
【００４２】
また、スリット２３の両端近傍は、スリット２３を閉結するための領域が存在している
ため、更に開口率が低下する。本実施形態の液晶表示パネル１０におけるサブ画素１１は
縦長であるため、スリット２３を横方向に延在させるとスリット２３の端部の数が多くな
る。そこで、本実施形態の液晶表示パネル１０では、図１に示すように、スリット２３の
延在方向を（列軸方向）にすることにより、スリット２３の端部の数を少なくし、開口率
が低くならないようにしている。
【００４３】
ラビング処理の方向に対してスリット２３の延在方向を所定角度α（例えば約５度〜約
１５度）傾ける。これにより、液晶分子が同じ方向に回転することができるようになる。
全てのスリット２３を時計方向あるいは反時計方向にすると、液晶分子が同一方向にねじ
れるために、視角方向によって色が変化する現象が現れる。これは、液晶分子を見る方向
によって見かけのリタデ−ションが変化するためである。これを低減するために、本実施
形態の液晶表示パネル１０ではスリット２３の延在方向が時計方向に対して＋α傾くドメ
インと−α傾くドメインを設けている。即ち、マルチドメイン化である。なお、本実施形
態の液晶表示パネル１０における配向方向が異なるドメイン数は２つであるが、更に配向
方向が異なるドメインを多くしてもよい。
【００４４】
配向方向が異なるドメインのスリット２３を分離させると、スリット２３の端部が増加
するため、正常に表示できない領域の面積が増加するので、開口率が減少する。そこで、
本発明ではスリット２３を「く」字状に折り曲げて配向方向が異なるドメインを形成する
スリット２３を連結している。このようにスリット２３を「く」字状に折り曲げることに
よって、スリット２３を分離した場合に比べて正常に表示できない領域の面積が減少する
ので、開口率を大きくすることができるようになる。
【００４５】
図１に示すように、「く」字状のスリット２３には端部の形状の違いから、第１スリッ
トＳ１と第２スリットＳ２が存在している。第１スリットＳ１の端部はバナナ状に先細と
なって内角側に突出し、第２スリットＳ２の端部は、信号線１６との間に上電極２２の領
域を残すために、突出していない。そして、図４及び図５に示すように、第１スリットＳ
１の結合部Ｊ１の内角側にはスリット２３の幅を狭める方向の楔状の凹部Ｔ１が形成され
ている。
【００４６】
スリットＳ１では、楔状の凹部Ｔ１が形成されていない場合、内角側（図４の右側）の
辺は、両方の端部Ｅ１Ｕ、Ｅ１Ｄと結合部Ｊ１の３箇所でラビング処理の方向に対する電
界の方向が正負反転している箇所が生じている。それに対し、外角側（図４の左側）では
、ラビング処理の方向に対する電界の方向が正負反転している箇所は結合部Ｊ１の１箇所
である。そのため、スリットＳ１においては、外部から押圧される等、物理的圧力等が加
わって液晶配向が乱れて液晶分子の回転方向が反転して安定してしまっても、この液晶分
子の回転方向が反転してしまう領域を楔状の凹部Ｔ１に収束させることができると共に、
物理的圧力等が取り除かれると直ちに元の状態に戻るため、輝度の低下を抑制することが
できる。
【００４７】
また、第２スリットＳ２の結合部Ｊ２の外角側には、図５に示すように、スリット２３
の幅を広げる方向の楔状の凸部Ｔ２が形成されている。第１スリットＳ１は上スリット部
分Ｕ１と下スリット部分Ｄ１が「く」字状に連結したものであり、上スリット部分Ｕ１は
ラビング方向に対し＋α１（例えば約５度〜約１５度）の角度で延在しており、下スリッ
ト部分Ｄ１はラビング方向に対し−α１の角度で延在している。そして、上スリット部分
Ｕ１の端部Ｅ１Ｕと下スリット部分Ｄ１の端部Ｅ１Ｄは内角側に先細に突出している。
【００４８】
スリットＳ２では、楔状の凸部が形成されていない場合、内角側（図５の右側）の辺は
結合部Ｊ２のみでラビング処理の方向に対する電界の方向が正負反転している箇所が生じ
ている。それに対し、外角側（図５の左側）では、両方の端部Ｅ２Ｕ、Ｅ２Ｄと結合部Ｊ
２の３箇所でラビング処理の方向に対する電界の方向が正負反転している箇所が生じてい
る。そのため、スリットＳ２においては、外部から押圧される等、物理的圧力等が加わっ
て液晶配向が乱れて液晶分子の回転方向が反転して安定してしまっても、この液晶分子の
回転方向が反転してしまう領域を楔状の凸部Ｔ２に収束させることができる共に、物理的
圧力等が取り除かれると直ちに元の状態に戻るため、輝度の低下を抑制することができる
。
【００４９】
なお、図４における「ＯＦＦ」は液晶分子に電界が印加されていないときの液晶分子の
配向方向を示し、この方向がラビング処理の方向と一致する。また、図４における「ＯＮ
」は液晶分子に電界が印加されたときの液晶分子の配向方向を示し、この方向はスリット
２３の縁線の法線と一致する。そして、図４に示すように、液晶分子に電界が印加された
ときの液晶分子の回転方向はＯＦＦの位置からＯＮの位置へ回転角度が少ない方向に回転
する。
【００５０】
図５は液晶分子に電界が印加されたときの液晶分子の回転方向を示す図であり、図中の
Ｒは電界が印加されたときの液晶分子の回転方向が右（時計方向）であることを示し、Ｌ
は左（反時計方向）であることを示す。第１スリットＳ１における、電界が印加されたと
きの液晶分子の回転方向は、端部Ｅ１Ｕ以外の上スリット部分Ｕ１は左回転であり、端部
Ｅ１Ｄ以外の下スリット部分Ｄ１は右回転である。第２スリットＳ２における、電界が印
加されたときの液晶分子の回転方向は、端部Ｅ２Ｕ以外の上スリット部分Ｕ２は左回転で
あり、端部Ｅ２Ｄ以外の下スリット部分Ｄ２は右回転である。ここで、第１スリットＳ１
の凹部Ｔ１や第２スリットＳ２の凸部Ｔ２がなければ、従来技術の図７のように第１スリ
ットＳ１の内角側の縁線や第２スリットＳ２の外角側の縁線の両端にラビング処理の方向
に対する電界の方向が正負反転する領域が存在して、図８の矢印部分が暗くなる。
【００５１】
本発明は、結合部Ｊ１，Ｊ２に凹部あるいは凸部を設けることにより、主たる縁線の両
端にラビング処理の方向に対する電界の方向が正負反転する領域が存在しないようにして
、輝度の低下を防止することができる。図４に示すように、ラビング処理の方向に対する
縁線の角度が＋α２と−α２の凹部Ｔ１を介して、内角側のα１の縁線が結合されている
ことにより、ラビング処理の方向とスリット２３の法線とのなす角が変化している。これ
により、電界の方向が変化しているため、配向方向が異なるドメインが互いに行き来し難
くなり、リップル不良を低減することができるようになる。
【００５２】
また、図４に示すように、α２>α１とされているので、液晶分子へ与えられる回転力
はα１の縁線よりもα２の縁線の方が大きくなる。すなわち、ラビング処理の方向に対す
る電界の方向の角度を狭める凹部Ｔ１が設けられている。そのため、液晶表示パネル１が
一時的に押圧されて液晶分子の回転角が変化し、ディスクリネーションが大きくなっても
、折り曲げ部では液晶分子に大きな回転力が与えられているため、元の状態に戻り易くな
り、リップルを軽減することができるようになる。
【００５３】
なお、図６に示すように、第１スリットＳ１の下スリット部分Ｄ１と第２スリットＳ２
の上スリット部分Ｕ２を組み合わせた非対称形状の第３スリットＳ３では、内角側の辺及
び外角側の辺共に、ラビング処理の方向に対する電界の方向が正負反転している箇所が３
箇所存在している辺となる。このような場合には、外角側となる辺の結合部に楔状の凸部
Ｔ２を形成すると共に、内角側となる辺の結合部に楔状の凹部Ｔ１を形成すればよい。
【００５４】
なお、上記実施形態では上電極に形成するスリットとして信号線に沿って「く」字状に
延在する形状となした例を示したが、走査線に沿って横「く」字状とする必要がある場合
に対しても適用可能である。
【符号の説明】
【００５５】
１０…液晶表示パネル  １１…サブ画素  １２…透明基板  １３…走査線  １４…ゲー
ト絶縁膜  １５…半導体層  １６…信号線  １７…パッシベーション膜  １８…層間膜  
１９…下電極  ２０…コンタクトホール  ２１…電極間絶縁膜  ２２…上電極  ２３…ス
リット  ２４…配向膜  ２５…透明基板  ２６…遮光層  ２７…カラーフィルター層  ２
８…オーバーコート  ２９…配向膜  ３３…スリット  ＡＲ…アレイ基板  ＣＦ…カラー
フィルター基板  Ｄ１、Ｄ２、Ｄ４、Ｄ５…下スリット部分  Ｕ１、Ｕ２、Ｕ４、Ｕ５…
上スリット部分  Ｅ１Ｄ、Ｅ２Ｄ、Ｅ４Ｄ、Ｅ５Ｄ…端部  Ｅ１Ｕ、Ｅ２Ｕ、Ｅ４Ｕ、Ｅ
５Ｕ…端部  Ｊ１〜Ｊ３…結合部  ＬＣ…液晶層  Ｓ１〜Ｓ３…スリット  Ｔ１…凹部  
Ｔ２…凸部
【図１】
2010169994.tif 000003
【図２】
2010169994.tif 000004
【図３】
2010169994.tif 000005
【図４】
2010169994.tif 000006
【図５】
2010169994.tif 000007
【図６】
2010169994.tif 000008
【図７】
2010169994.tif 000009
【図８】
2010169994.tif 000010